(57)【要約】    【課題】ナンバーポータルに伴い利用者の携帯端末電話のサービス環境を簡単に移行させる。    【解決手段】  移行要求受信部３４は顧客端末から携帯電話会社間の移行要求を受信し、顧客判定部３６が顧客が適格か否かを判定する。移行先サービス情報提示部３８は、顧客を適格と判定した場合に、移行前に契約していたサービスと同等の移行先のサービスおよび契約に関する情報を前記顧客端末に提示する。サービス契約部４０は、顧客端末から移行先のサービスの契約情報を受信して契約し結果を通知する。    【選択図】        図１
2005142789.tif 000002
【特許請求の範囲】
【請求項１】
コンピュータを用いた携帯電話会社移行の支援方法に於いて、
顧客端末から携帯電話会社間の移行要求を受信する移行要求受信ステップと、
顧客が適格か否かを判定する判定ステップと、
顧客を適格と判定した場合に、移行前に契約していたサービスと同等の移行先のサービスおよび契約に関する情報を前記顧客端末に提示する移行先サービス情報提示ステップと、
前記顧客端末から移行先のサービスの契約情報を受信して契約し、結果を通知するサービス契約ステップと、
を備えたことを特徴とする携帯電話会社移行の支援方法。
【請求項２】
請求項１記載の携帯電話会社移行の支援方法に於いて、前記サービス契約ステップは、契約締結後に、契約サービスの環境設定を行うためのプログラムを顧客の携帯電話端末に送信することを特徴とする携帯電話会社移行の支援方法。
【請求項３】
請求項１記載の携帯電話会社移行の支援方法に於いて、前記判定ステップは、顧客を適格と判定した場合、判定結果を移行先の携帯電話会社のコンピュータに通知してサービスを開始させることを特徴とする携帯電話会社移行の支援方法。
【請求項４】
携帯電話会社移行を支援するコンピュータに、
顧客端末から携帯電話会社間の移行要求を受信する移行要求受信ステップと、
顧客が適格か否かを判定する判定ステップと、
顧客を適格と判定した場合に、移行前に契約していたサービスと同等の移行先のサービスおよび契約に関する情報を前記顧客端末に提示する移行先サービス情報提示ステップと、
前記顧客端末から移行先のサービスの契約情報を受信して契約し、結果を通知するサービス契約ステップと、
を実行させることを特徴とするプログラム。
【発明の詳細な説明】
【技術分野】
【０００１】
本発明は、同じ電話番号のまま携帯電話会社の変えるナンバーポータルでの携帯電話会社移行の支援方法、プログラム及び支援装置に関し、特に、本来の通信サービス以外に既に契約中の各種サービスの移行についても強力に支援する携帯電話会社移行の支援方法、プログラム及び支援装置に関する。
【背景技術】
【０００２】
従来、携帯電話端末の電話番号は通信事業者の所有物として扱われており、このため電話番号を変えずに別の通信事業者に移行するナンバーポータルはできなかった。しかしながら、最近にあっては、携帯電話サービスの競争激化により、電話番号を変えずに通信事業者の変更が容易に行えるナンバーポータビリティー制度を導入するニーズが高まってきており、欧米各国などでは同様の制度がすでに導入されており、国内についても政府レベルでの導入検討が進められており、いずれ導入が実現することになる。
【発明の開示】
【発明が解決しようとする課題】
【０００３】
しかしながら、利用者が通信事業者を変更しても従来と同じ電話番号を使用できるナンバーポータルが実現した場合、利用者は、移行前の通信事業者と利用終了契約、移行先の通信事業者と利用契約の締結が必要になり、また移行前に加入している各種サービスについては、移行した後にサービス事業者ごとに再契約する必要があり、更に、利用料金の決済金融機関を移行先の通信事業者に通知する必要があり、それなりの手間と時間がかかる。
【０００４】
このため通信事業者が利用者のナンバーポータルを容易に実現するためにコンピュータによる支援システムを構築することが考えられる。しかし、移行元の通信事業者にとっては利用者のナンバーポータルは、何のメリットもないことから、利用者の負担を積極的に支援することは考えられず、基本的に利用者負担のサービスを構築せざるを得ない。
【０００５】
また移行先の通信事業者にとっては、移行による新規加入についてはメリットであるが、電話番号以外の各種サービスについては、移行前のサービスを継続させるよりは、新規契約としてもらった方が処理が簡単で確実である。
【０００６】
このため利用者のナンバーポータルが制度として実現しても、通信事業者に依存する限り利用者の立場に立った支援体制の確立は必ずしも期待できない。
【０００７】
この結果、ナンバーポータルが実現すれば、料金などが安くなるなどの理由で別の携帯電話会社への移行を希望する利用者が多数存在しているにもかかわらず、実際は移行前に契約していた各種サービスと同等のものを移行先で探し、再度契約する手間を敬遠して現状契約している携帯電話会社を使い続けることが予想され、これを解消するためナンバーポータルに伴うサービスの移行をスムーズに行うことのできるシステムの構築が望まれる。
【０００８】
本発明は、通信事業者から独立したサービス運用団体により構築され、移行前の利用者のサービス環境を移行先に継続させることを可能とするコンピュータによる携帯電話会社移行の支援方法、プログラム及び支援装置を提供することを目的とする。
【課題を解決するための手段】
【０００９】
本発明は、コンピュータを用いた携帯電話会社移行の支援方法を提供する。本発明の支援方法は、
顧客端末から携帯電話会社間の移行要求を受信する移行要求受信ステップと、
顧客が適格か否かを判定する判定ステップと、
顧客を適格と判定した場合に、移行前に契約していたサービスと同等の移行先のサービスおよび契約に関する情報を前記顧客端末に提示する移行先サービス情報提示ステップと、
顧客端末から移行先のサービスの契約情報を受信して契約し、結果を通知するサービス契約ステップと、
を備えたことを特徴とする。
【００１０】
ここで、サービス契約ステップは、契約締結後に、契約サービスの環境設定を行うためのプログラムを顧客の携帯電話端末に送信する。また、判定ステップは、顧客を適格と判定した場合、判定結果を移行先の携帯電話会社のコンピュータに通知してサービスを開始させる。
【００１１】
移行先サービス情報提示ステップは、移行前のサービスが継続利用可能な場合はサービス事業者と継続契約に関する情報を提示し、移行前のサービスが継続利用できない場合は同等のサービス事業者と新規契約に関する情報を提示する。
【００１２】
本発明の携帯電話会社移行の支援方法は、支援用コンピュータ（支援サーバ）が利用者端末と通信事業者のコンピュータとの間に介在して支援処理を行う形態をとるが、通信事業者のコンピュータを介して利用者端末との処理を行っても良い。すなわち、移行要求受信ステップ、判定ステップ、移行先サービス情報提示ステップ及びサービス契約ステップにおける顧客端末とのやり取りを、移行先となる携帯電話会社のコンピュータを介在して行うようにしても良い。
【００１３】
本発明は、携帯電話会社移行の支援のためのプログラムを提供する。このプログラムは、携帯電話会社移行を支援するコンピュータに、
顧客端末から携帯電話会社間の移行要求を受信する移行要求受信ステップと、
顧客が適格か否かを判定する判定ステップと、
顧客を適格と判定した場合に、移行前に契約していたサービスと同等の移行先のサービスおよび契約に関する情報を前記顧客端末に提示する移行先サービス情報提示ステップと、
顧客端末から移行先のサービスの契約情報を受信して契約し結果を通知するサービス契約ステップと、
を実行させることを特徴とする。
【００１４】
本発明は、携帯電話会社移行の支援装置を提供する。この支援装置は、顧客端末から携帯電話会社間の移行要求を受信する移行要求受信部と、顧客が適格か否かを判定する判定部と、顧客を適格と判定した場合に、移行前に契約していたサービスと同等の移行先のサービスおよび契約に関する情報を前記顧客端末に提示する移行先サービス情報提示部と、顧客端末から移行先のサービスの契約情報を受信して契約し結果を通知するサービス契約部と、
を備えたことを特徴とする。
【発明の効果】
【００１５】
本発明によれば、利用者端末から携帯電話会社間の移行要求を受信した場合、移行可能と判定したならば、移行前に契約していた各種サービスと同等のサービスを移行先から検索して利用者に提示して選択可能とすることで、各種サービスの移行に伴う契約終了と継続又は新規契約のための利用者の負担を軽減し、各種サービスの移行も携帯電話端末の移行と伴ってスムーズに行うことができるため、ナンバーポータルによる携帯電話会社間の移行を活発化させることができる。
【００１６】
またナンバーポータルを伴う携帯電話会社間での移行に対する支援処理が、携帯電話会社から独立した運用団体が提供することで、携帯電話会社の利害関係に左右されることなく、利用者の立場から支援サービスが提供でき、携帯電話会社にも均等な競争の機会を保証でき、ナンバーポータリティ制度の導入に伴う携帯電話市場の活性化を押し進めることができる。
【発明を実施するための最良の形態】
【００１７】
図１は、本発明によるナンバーポータルに伴う携帯電話移行の支援システムの説明図である。
【００１８】
図１において、本発明による携帯電話会社移行の支援処理は支援サーバ１０により提供される。支援サーバ１０は複数の携帯電話会社（通信事業者）から独立した任意の運用団体が管理することが望ましく、顧客である利用者及び携帯電話会社の両者に対し中立的な立場で支援処理を運用することになる。
【００１９】
支援サーバ１０に対しては携帯電話網１２を介して携帯電話端末１４が接続され、またインターネット１６を介して顧客パソコン端末１８が接続され、更に電話ＦＡＸサーバ２０を介して固定電話２２やファクシミリ２４が接続され、これら顧客端末のいずれかを用いて支援サーバ１０に対しナンバーポータルに伴う支援処理を要求することができる。
【００２０】
また支援サーバ１０に対しては、携帯電話会社サーバ２６ａ〜２６ｄが接続され、例えば携帯電話会社サーバ２６ａに代表して示すように販売店２８の端末が接続されている。
【００２１】
支援サーバ１０には通信制御部３０と支援処理部３２が設けられる。通信制御部３０には各種の顧客端末及び携帯電話会社サーバ２６ａ，２６ｂとの間の情報をやり取りするための通信制御を行なう。
【００２２】
支援処理部３２は支援処理のためのアプリケーションプログラムの機能により実現されており、移行要求受信部３４、顧客判定部３６、移行先サービス情報提示部３８及びサービス契約部４０の各機能が設けられている。この支援処理部３２に対しては顧客管理ファイル４２とサービスマップファイル４４がそれぞれデータベースと接続されている。
【００２３】
支援処理部３２に設けた移行要求受信部３４は顧客端末から携帯電話会社間の移行要求を受信する。この携帯電話会社間の移行要求はナンバーポータルに伴う移行要求である。この顧客端末からのナンバーポータルに伴う移行要求は支援サーバ１０に送られると同時に移行先の携帯電話会社サーバにも送信される。利用者端末から携帯電話会社サーバへの移行要求の送信は直接であっても良いし、支援サーバを経由してあっても良い。
【００２４】
顧客判定部３６は移行要求受信部３４でナンバーポータルに伴う携帯電話会社間の移行要求を受信した際に顧客管理ファイル４２を検索し、優良顧客か否かを判定する。優良顧客かどうかの基準は例えば利用料金の滞納がないことを原則とし、そのほか利用回数の多さなどから定めた一定の基準を超えている顧客である。
【００２５】
移行先サービス情報提示部３８は顧客判定部３６でナンバーポータリングによる移行する顧客として適格であることを、即ち優良顧客であることを判定した場合、移行前に契約していたサービスと同等の移行先のサービス及びその契約に関する情報を要求元の顧客端末に提示する。
【００２６】
サービス契約部４０は移行先サービス情報提示部３８の提示情報に基づいた顧客端末からの移行先のサービスの契約情報を受信して契約し、その結果を移行先の携帯電話会社サーバ、例えば携帯電話会社サーバ２６ａに通知することになる。
【００２７】
更にサービス契約部４０は端末顧客からの移行先のサービス情報の契約に基づいてサービス事業者との契約を締結した後に、契約サービスの環境設定を行なうためのプログラムを契約を行なった顧客の携帯電話端末１４に送信する。
【００２８】
このため顧客側にあっては、移行先の携帯電話会社によるサービスの開始を行なう操作、例えば移行先の携帯電話会社から通知されたコード番号の入力による起動操作の際に、支援サーバ１０より送信されてローディングされた契約サービスの環境設定プログラムが起動し、移行先において契約した契約サービスに必要な環境設定を自動的に行なうことができる。
【００２９】
更に移行先サービス情報提示部３８は、移行前のサービスが移行後継続利用可能な場合はサービス事業者との継続契約に関する情報を提示し、移行前のサービスが移行後利用できない場合には同等のサービス事業者と新規契約に関する情報を顧客端末側に提示することになる。
【００３０】
図１における支援サーバ１０は、例えば図２のようなコンピュータのハードウェア資源により実現される。図２のコンピュータにおいて、ＣＰＵ１００のバス１０１にはＲＡＭ１０２、ハードディスクコントローラ（ソフト）１０４、フロッピィディスクドライバ（ソフト）１１０、ＣＤ−ＲＯＭドライバ（ソフト）１１４、マウスコントローラ１１８、キーボードコントローラ１２２、ディスプレイコントローラ１２６、通信用ボード１３０が接続される。
【００３１】
ハードディスクコントローラ１０４はハードディスクドライブ１０６を接続し、本発明のナンバーポータル要求に伴う携帯電話会社間の移行支援処理を実行するプログラムをローディングしており、コンピュータの起動時にハードディスクドライブ１０６から必要なプログラムを呼び出して、ＲＡＭ１０２上に展開し、ＣＰＵ１００により実行する。
【００３２】
フロッピィディスクドライバ１１０にはフロッピィディスクドライブ（ハード）１１２が接続され、フロッピィディスク（Ｒ）に対する読み書きができる。ＣＤ−ＲＯＭドライバ１１４に対しては、ＣＤドライブ（ハード）１１６が接続され、ＣＤに記憶されたデータやプログラムを読み込むことができる。
【００３３】
マウスコントローラ１１８はマウス１２０の入力操作をＣＰＵ１００に伝える。キーボードコントローラ１２２はキーボード１２４の入力操作をＣＰＵ１００に伝える。ディスプレイコントローラ１２６は表示部１２８に対して表示を行う。通信用ボード１３０は無線を含む通信回線１３２を使用し、インターネット上の装置との間で通信を行う。
【００３４】
図３は、図１の支援サーバ１０に設けた顧客管理ファイル４２の説明図であり、顧客１人分のファイルを例にとって示している。
【００３５】
図３の顧客ファイル４２は項番１〜１０が顧客に関する属性情報であり、カストマＩＤ，電話番号、契約者名称、契約者住所、利用者名称、利用者住所、利用者固定電話番号、優良顧客情報、端末番号、メールアドレスが登録されている。
【００３６】
続いて項番１１〜ｎは通信サービス以外の顧客が利用しているサービスのコンテンツ情報であり、例えば決済口座、路線検索、天気、ニュース、占い、銀行、チケット・・・・タクシーなどを登録することができる。尚、図１の携帯電話会社サーバ２６ａ〜２６ｄにも、同様な顧客管理ファイルがデータベースとして設けられている。
【００３７】
図４は、支援サーバ１０に設けたサービスマップファイル４４の説明図である。このサービスマップファイル４４にあっては、項番１〜ｎにつき、この例ではコンテンツグループ名として路線検索、天気、ニュース、占い、銀行、チケット・・・タクシーが登録されている。
【００３８】
それぞれのコンテンツグループ名に対してはサービス事業提供者とこのサービスを利用可能な通信キャリア、即ち携帯電話会社さらにインセンティブ及びサービス提供事業者へのコマーシャルが設けられている。
【００３９】
例えば項番１のコンテンツ名「路線検索」を例にとると、この例ではサービス事業者として「ＦＪナビ」「駅スパート」があり、通信キャリアとしてＡ社、Ｂ社、Ｃ社、Ｄ社、Ｅ社、Ｆ社の６社についてサービス提供可能であれば「ＹＥＳ」であり、サービスに対応してなければ「ＮＯ」が登録されている。
【００４０】
このためナンバーポータルに伴う移行先の携帯電話会社すなわち通信キャリアが特定できれば、移行前のサービスが継続できるか否かわかり、また継続できない場合には移行先で利用可能なコンテンツグループ（サービス）を得ることができる。
【００４１】
図５は、図１の支援サーバ１０の携帯電話端末１４としての顧客端末１１及びナンバーポータルに伴う移行先の携帯電話会社サーバ２６について本発明による支援処理を示したタイムチャートである。
【００４２】
まず顧客端末１１がステップＳ１でナンバーポータリング（移行要求）を通知する。ナンバーポータリングの通知はこの例では移行先の携帯電話会社サーバ２６と本発明より提供される支援サーバ１０のそれぞれに通知される。
【００４３】
携帯電話会社サーバ２６はステップＳ１０１で顧客端末１１からのナンバーポータリング要求を受信すると、ステップＳ１０２で支援サーバ１０に対し、要求を行った顧客が優良顧客か否かの問い合わせを行なう。
【００４４】
一方、支援サーバ１０にあっては、ステップＳ２０１で顧客端末１１からのナンバーポータリング要求を受信すると、ステップＳ２０２で図３に示したような顧客管理ファイル４２を検索し、その優良顧客情報を読み取る。そしてステップＳ２０３で携帯電話会社サーバ２６からの問い合わせに対し、優良顧客か不適格顧客か判定して通知する。
【００４５】
携帯電話会社サーバ２６はステップＳ１０３で支援サーバ１０からの通知に基づき優良顧客か否か判定し、優良顧客でない場合にはステップＳ１０４に進み顧客端末１１に対し移行不可を通知する。優良顧客であった場合にはステップＳ１０５に進み自社の交換システムに対し利用を通知して通信サービスを開始させる。
【００４６】
一方、この段階で支援サーバ１０にあっては図４に示したようなサービスマップファイル４４の検索により、移行前のサービスと同等の移行先のサービス及び契約に関する情報を含むサービス移行情報を編集して、ステップＳ２０４で通知してきている。
【００４７】
このため携帯電話会社サーバ２６はステップＳ１０６で顧客端末１１に対し受付通知と共に支援サーバ１０から受け取ったサービス移行情報を顧客端末１１に対し送信する。顧客端末１１はステップＳ３で携帯電話会社サーバ２６から受信したサービス移行情報を利用者が見て契約するサービス事業者を選択して通知する。
【００４８】
この契約サービス事業者の選択は継続契約のための選択、新規契約のための選択を含んでいる。顧客端末１１からの契約するサービス事業者の選択に基づく通知は携帯電話会社サーバ２６を経由して支援サーバ１０に送られ、支援サーバ１０はこれを受けてステップＳ２０５で選択されたサービス事業者との契約を行い、その結果を携帯電話会社サーバ２６及び顧客端末１１に通知し、更にステップＳ２０６で顧客管理ファイル４２に登録する。
【００４９】
携帯電話会社サーバ２６はサービス事業者との契約結果につきステップＳ１０７で顧客管理ファイルに登録する。また顧客端末１１にあっては、これによって一連のナンバーポータリングに伴う携帯電話会社の移行処理が済んだことから、ステップＳ４で手続き完了と利用開始の表示を受けて処理を終了する。
【００５０】
図６は、通常の携帯端末を利用したナンバーポータリングにおける本発明の支援処理と連携する一連の操作画面の説明図である。図６において、まず操作画面４８を開き、その中から例えば項目５４で示す「オプション設定」を選択する。これによりオプション設定画面５０が開くことからそのメニューの中から項目５６となる「ナンバーポータル」を選択する。
【００５１】
これによりナンバーポータル画面５２が開き、そこに切替先の会社名がラジオボタンと共に示される。そこでラジオボタン５８のように切替先の会社として「ｏｕ」を選択して送信ボタン６０を押すことで、図５の顧客端末１１におけるステップＳ１のナンバーポータリングの通知が移行先の携帯電話会社サーバ２６及び支援サーバ１０に対し行なわれることになる。
【００５２】
このような普通の携帯端末を使用した場合の図５の顧客端末１１におけるステップＳ２〜Ｓ４の処理については、本発明の支援処理に対応したアプリケーションがないことから、例えばメール機能を利用した顧客端末１１との間のやり取りが行なわれることになる。
【００５３】
図７は、本発明の支援処理に対応したアプリケーションを持つ携帯電話端末を用いたナンバーポータリングにおける一連の操作画面の説明図である。
【００５４】
図７において、本発明に対応した携帯電話端末１４において、ナンバーポータルのためのアプリケーションを開くと操作画面６２が初期画面として開き、ナンバーポータルの要求をラジオボタン６３により選択した後、移行前の電話番号を入力して送信ボタンを押す。
【００５５】
続いて待機画面６４に切り替わり、支援サーバ１０において優良顧客と判定された場合には操作画面６６が表示され、ナンバーポータルの受付が完了したことが通知される。次にサービス設定の実施の有無ができることからラジオボタン６７を操作して送信ボタンを押す。
【００５６】
これに基づき支援サーバ１０において、移行先サービス情報の編集処理が実行され、移行先サービス情報７０を作成して携帯電話端末１４に送る。この移行先サービス情報７０については操作画面６８においてスクロール表示されることから、順番にサービスの種類となるコンテンツグループ名を開きながら顧客が希望するサービスを決定する。
【００５７】
ここで移行先サービス情報には
（１）継続サービス
（２）継続できないことによる新規サービス
の２つがある。
【００５８】
従って、移行先サービス情報については継続可能なサービスについてはこのサービス事業者を表示すると同時に同等なサービス、顧客にとってメリットのあるサービスを追加的に表示する。これによって顧客は同じサービスを継続する以外に同等のサービスでありながら更にメリットのあるサービスを選択することが可能となる。
【００５９】
操作画面６８でひととおりの移行先のサービス情報に関する選択がすんだならば、送信ボタンを押すと、選択されたサービス事業者についての契約情報が支援サーバ１０に送られ、契約処理が行なわれた後、契約完了に伴い、操作画面７２が表示される。操作画面７２にあっては契約の済んだサービス内容が表示され、これにより一連のナンバーポータルに伴う処理が終了する。
【００６０】
図８は、図５のナンバーポータルに伴う携帯電話会社移行の処理を行なう携帯端末処理のフローチャートであり次の処理手順からなる。
【００６１】
ステップＳ１：移行先の携帯電話会社にナンバーポータリングを通知し、現在の電話番号「ＸＸＸＸ−ＹＹＹＹ−ＺＺＺＺ」を通知する。
ステップＳ２：端末に支援サーバ１０から提供された移行先サービス情報を提示する。
ステップＳ３：移行先サービス情報を基にサービスを選択して契約情報を応答する。
ステップＳ４：契約結果を受信した後、サービスを開始する。
【００６２】
図９は図５の顧客端末１１からのナンバーポータリングに対する移行先の携帯電話会社サーバの処理手順を示したフローチャートであり、次のようになる。
【００６３】
ステップＳ１：販売店もしくはインターネットなどを通じて、顧客端末よりナンバーポータリングの要求と電話番号「ＸＸＸＸ−ＹＹＹＹ−ＺＺＺＺ」を受信する。
ステップＳ２：支援サーバ１０に優良顧客か否かの問い合わせを行なう。
ステップＳ３：優良顧客であればステップＳ４に進み、優良顧客でなければステップＳ８に進む。
ステップＳ４：優良顧客であることからナンバーポータリングを受付けるため顧客管理ファイルに登録する。
ステップＳ５：自社の交換システムに受付けたナンバーポータリングの電話番号を使用して利用通知を行い、通信サービスを開始する。
ステップＳ６：支援サーバからの移行先サービス情報を顧客端末に提示し、これを見た顧客端末からのサービス選択による契約情報の支援サーバ１０に対する通知に基づく契約結果を受信する。
ステップＳ７：顧客管理システムに契約締結の済んだサービス情報を顧客管理ファイルに登録する。
ステップＳ８：ステップＳ３で優良顧客でなかった場合であり、顧客端末に対し移行不可を通知して処理を終了する。
【００６４】
図１０は図５の処理を実行する本発明の支援サーバ１０の処理手順を示したフローチャートであり、次のようになる。
【００６５】
ステップＳ１：販売店もしくはインターネットを通じて顧客端末よりナンバーポータリングの要求と電話番号「ＸＸＸＸ−ＹＹＹＹ−ＺＺＺＺ」を受信する。
ステップＳ２：顧客管理ファイル４２を検索する。
ステップＳ３：顧客管理ファイル４２の検索結果から優良顧客であることを判別した場合にはステップＳ４に進み、優良顧客でなかった場合にはステップＳ８に進む。
ステップＳ４：移行先の携帯電話会社に対して優良顧客であることを通知する。
ステップＳ５：ステップＳ１で受信したナンバーポータリング要求を行なった顧客についての移行前に契約していたサービスと同等の移行先のサービス及び契約に関する情報を編集するサービス移行情報編集処理を実行する。
ステップＳ６：サービス移行情報を携帯電話会社サーバ経由で顧客端末に通知する。
ステップＳ７：携帯電話会社サーバ経由で顧客端末から送られたサービス契約要求を受信し、サービス事業者との契約処理を行なった後、結果を携帯電話会社サーバ及び顧客端末に通知し、顧客管理ファイル４２に登録して処理を終了する。
ステップＳ８：ステップＳ３で優良顧客で無かった場合であり、移行先の携帯電話会社サーバに対し不適格顧客であることを通知して一連の処理を終了する。
【００６６】
図１１は図１０のステップＳ５におけるサービス移行情報編集処理の詳細を示したフローチャートであり、次の処理手順となる。
【００６７】
ステップＳ１：移行前の携帯電話会社でサービス情報を編集する。
ステップＳ２：サービスマップファイル４４を検索し、移行先の携帯電話会社で提供可能なサービス情報を取得する。
ステップＳ３：サービス継続可能な否かチェックする。継続不可能であればステップＳ４に進む。継続可能であればステップＳ５もしくはステップＳ６に進む。ここで継続可能１は移行前と同じサービス事業者とする継続可能である。一方、継続可能２は移行前のサービス情報に加え顧客にとってメリットのある同等のサービス情報を付加する継続可能の場合である。
ステップＳ４：サービス継続不可能の場合であり、移行前のサービスと同等のサービスを提供するサービス事業者の契約画面を編集する。
ステップＳ５：サービス継続可能な場合であり、移行前のサービス事業者の継続契約画面を編集する。
ステップＳ６：サービス継続可能に加え顧客にメリットのある同等のサービス事業者が存在する場合であり、例えば販売促進中のサービス事業者の契約画面と継続するサービス事業者の契約画面を編集する。
ステップＳ７：ステップＳ４，Ｓ５，Ｓ６のいずれかの編集処理が終了した後に全てのコンテンツグループについての編集処理の有無をチェックし、終了していなければステップＳ２に戻り、終了していれば処理を終えて図１０のメインルーチンにリターンする。
【００６８】
図１２は、支援サーバ１０が直接に顧客端末１１とのやりとりを行なう実施形態における本発明による支援処理のタイムチャートである。即ち図５の実施形態にあっては、支援サーバ１０は携帯電話会社サーバ２６を経由して顧客端末１１との間でナンバーポータリングの移行に伴う支援処理を行なっていたが、図１２の実施形態にあっては支援サーバ１０が顧客端末１１と携帯電話会社サーバ２６の間に位置し、両者の間でナンバーポータリングに伴う支援処理を実行するようにしている。
【００６９】
図１２において、顧客端末１１からステップＳ１でナンバーポータリングの通知を行なうと、これは支援サーバ１０のステップＳ１０１でナンバーポータリング要求が受信され、同時に携帯電話会社サーバ２６のステップＳ２０１で同じナンバーポータリング要求が受信される。
【００７０】
支援サーバ１０はステップＳ１０２で顧客管理ファイル４２を検索し、ステップＳ１０３で優良顧客か不適格顧客かを判定する。ステップＳ１０４で優良顧客でなかった場合にはステップＳ１０５で不適格顧客であることを携帯電話会社サーバ２６に通知した後、ステップＳ１０６で顧客端末１１に移行不可を通知する。ステップＳ１０４で優良顧客を判別した場合にはステップＳ１０７でこれを携帯電話会社サーバ２６に通知する。
【００７１】
携帯電話会社サーバ２６にあってはステップＳ２０２で支援サーバ１０からの通知をチェックし、不適格顧客であれば処理を終了し、優良顧客であればステップＳ２０３に進み交換システムに利用を通知してサービスを開始する。
【００７２】
一方、支援サーバ１０はステップＳ１０７で優良顧客を通知した後にステップＳ１０８でサービス移行情報編集処理を実行する。このサービス移行処理編集処理の詳細は図１１のフローチャートと同じである。
【００７３】
続いてステップＳ１０９でナンバーポータリング要求の受付通知とサービス移行情報を顧客端末１１に送信する。顧客端末１１はステップＳ３で支援サーバ１０から送られたサービス移行情報を見ることで契約するサービス事業者を選択して支援サーバ１０に通知する。
【００７４】
この顧客端末１１からの通知を受けて支援サーバ１０はステップＳ１１０でサービス事業者との契約を行なって結果を顧客端末１１及び携帯電話会社サーバ２６にそれぞれ通知し、ステップＳ１１２で顧客管理ファイル４２に移行後のサービス事業者との契約結果を登録して支援処理を終了する。
【００７５】
また顧客端末１１は支援サーバ１０からの契約結果の通知を受けてステップＳ４で手続き完了と利用開始を表示して処理を終了する。支援サーバ１１から契約結果の通知を受けた携帯電話会社サーバ２６は、ステップＳ２０４で自社の顧客管理ファイルに登録して処理を終了する。
【００７６】
図１３は、図１２の実施形態における支援サーバ１０のフローチャートであり次のようになる。
【００７７】
ステップＳ１：販売店またはインターネットを通じて顧客端末よりナンバーポータリングと電話番号を受信する。
ステップＳ２：顧客管理ファイル４２を検索し、ナンバーポータリングを行なった顧客情報を取得する。
ステップＳ３：顧客管理ファイル４２の検索結果から優良顧客か否かチェックする。優良顧客であればステップＳ４に進み、そうでなければステップＳ８に進む。
ステップＳ４：移行先に携帯電話会社に対し優良顧客を通知する。
ステップＳ５：サービス移行編集処理を実行する。詳細は図１０と同様。
ステップＳ６：サービス移行契約情報を顧客端末１１に通知する。
ステップＳ７：顧客端末１１からサービス契約要求を受信して、サービス事業者と契約を締結し結果を顧客端末１１及び携帯電話会社サーバ２６に通知した後、顧客管理ファイル４２に登録して処理を終了する。
ステップＳ８：ステップＳ３で優良顧客でなかった場合であり、移行先の携帯電話会社サーバ２６に対し不適格顧客を通知する。
ステップＳ９：顧客端末１１に移行不可を通知して処理を終了する。
【００７８】
図１４は、図１２の実施形態における携帯電話会社サーバ２６の処理を示したフローチャートであり次のようになる。
【００７９】
ステップＳ１：販売店もしくはインターネットを通じて顧客端末１１よりナンバーポータリングと電話番号を受信する。
ステップＳ２：支援サーバ１０から優良顧客か否かの通知をチェックしており、優良顧客であればステップＳ３に進み、不適格顧客であれば処理を終了する。
ステップＳ３：顧客管理ファイル４２にナンバーポータリングの受付を登録する。
ステップＳ４：交換システムに利用通知を行なって通信サービスを開始させる。
ステップＳ５：支援サーバ１０から移行先についてのサービス契約情報を受信したか否かチェックし、受信したらステップＳ６に進み、そうでなければステップＳ５に戻る。
ステップＳ６：客管理ファイルに登録して一連の処理を終了する。
【００８０】
尚、図１０及び図１３のフローチャートでは省略しているが、支援サーバ１０は最後に移行先のサービス事業者との間の契約締結に基づき、契約サービスの環境設定を行なうためのプログラムを顧客の携帯電話端末に送信するようになる。
【００８１】
また本発明はその目的と利点を損なうことのない適宜の変形を含み、更に上記の実施形態に示した数値による限定は受けない。
【００８２】
ここで本発明の特徴をまとめて列挙すると次の付記のようになる。
【００８３】
（付記）
（付記１）
コンピュータを用いた携帯電話会社移行の支援方法に於いて、
顧客端末から携帯電話会社間の移行要求を受信する移行要求受信ステップと、
顧客が適格か否かを判定する判定ステップと、
顧客を適格と判定した場合に、移行前に契約していたサービスと同等の移行先のサービスおよび契約に関する情報を前記顧客端末に提示する移行先サービス情報提示ステップと、
前記顧客端末から移行先のサービスの契約情報を受信して契約し、結果を通知するサービス契約ステップと、
を備えたことを特徴とする携帯電話会社移行の支援方法。（１）
【００８４】
（付記２）
付記１記載の携帯電話会社移行の支援方法に於いて、前記サービス契約ステップは、契約締結後に、契約サービスの環境設定を行うためのプログラムを顧客の携帯電話端末に送信することを特徴とする携帯電話会社移行の支援方法。（２）
【００８５】
（付記３）
付記１記載の携帯電話会社移行の支援方法に於いて、前記判定ステップは、顧客を適格と判定した場合、判定結果を移行先の携帯電話会社のコンピュータに通知してサービスを開始させることを特徴とする携帯電話会社移行の支援方法。（３）
【００８６】
（付記４）
付記１記載の携帯電話会社移行の支援方法に於いて、前記移行先サービス情報提示ステップは、移行前のサービスが継続利用可能な場合はサービス事業者との継続契約に関する情報を提示し、移行前のサービスが継続利用できない場合は同等のサービス事業者との新規契約に関する情報を提示することを特徴とする携帯電話会社移行の支援方法。
【００８７】
（付記５）
付記１記載の携帯電話会社移行の支援方法に於いて、前記移行要求受信ステップ、判定ステップ、移行先サービス情報提示ステップ及びサービス契約ステップにおける前記顧客端末とのやり取りを、移行先となる携帯電話会社のコンピュータを介在して行うことを特徴とする携帯電話会社移行の支援方法。
【００８８】
（付記６）
携帯電話会社移行の支援するコンピュータに、
顧客端末から携帯電話会社間の移行要求を受信する移行要求受信ステップと、
顧客が適格か否かを判定する判定ステップと、
顧客を適格と判定した場合に、移行前に契約していたサービスと同等の移行先のサービスおよび契約に関する情報を前記顧客端末に提示する移行先サービス情報提示ステップと、
前記顧客端末から移行先のサービスの契約情報を受信して契約し、結果を通知するサービス契約ステップと、
を実行させることを特徴とするプログラム。（４）
【００８９】
（付記７）
コンピュータを用いた携帯電話会社移行の支援装置に於いて、
顧客端末から携帯電話会社間の移行要求を受信する移行要求受信部と、
顧客が適格か否かを判定する判定部と、
顧客を適格と判定した場合に、移行前に契約していたサービスと同等の移行先のサービスおよび契約に関する情報を前記顧客端末に提示する移行先サービス情報提示部と、
前記顧客端末から移行先のサービスの契約情報を受信して契約し結果を通知するサービス契約部と、
を備えたことを特徴とする携帯電話会社移行の支援装置。
【図面の簡単な説明】
【００９０】
【図１】本発明による携帯電話会社移行の支援システムの説明図
【図２】図１の支援サーバに用いるコンピュータのハードウェア環境の説明図
【図３】図１の顧客管理ファイルの説明図
【図４】図１のサービスマップファイルの説明図
【図５】本発明の携帯電話会社移行における支援処理を示したタイムチャート
【図６】通常の携帯電話端末を利用したナンバーポータリングにおける一連の操作画面の説明図
【図７】本発明に対応した携帯電話端末を用いたナンバーポータリングにおける一連の操作画面の説明図
【図８】ナンバーポータリングの行う顧客端末処理のフローチャート
【図９】顧客端末からのナンバーポータリングに対する移行先の携帯電話会社処理のフローチャート
【図１０】本発明による支援サーバ処理のフローチャート
【図１１】図１０の支援サーバ処理の中で行うサービス移行情報編集処理のフローチャート
【図１２】支援サーバが直接顧客端末とのやり取りを行う実施形態における支援処理のタイムチャート
【図１３】図１３における支援サーバ処理のフローチャート
【図１４】図１３における移行先の携帯電話会社処理のフローチャート
【符号の説明】
【００９１】
１０：支援サーバ
１１：顧客端末
１２：携帯電話網
１４：携帯電話端末
１６：インターネット
１８：顧客パソコン端末
２０：電話ＦＡＸサーバ
２２：固定電話
２４：ファクシミリ
２６，２６ａ〜２６ｄ：携帯電話会社サーバ
２８：販売店
３０：通信制御部
３２：支援処理部
３４：移行要求受信部
３６：顧客判定部
３８：移行先サービス情報提示部
４０：サービス契約部
４２：顧客管理ファイル
４４：サービスマップファイル
【図１】
2005142789.tif 000003
【図２】
2005142789.tif 000004
【図３】
2005142789.tif 000005
【図４】
2005142789.tif 000006
【図５】
2005142789.tif 000007
【図６】
2005142789.tif 000008
【図７】
2005142789.tif 000009
【図８】
2005142789.tif 000010
【図９】
2005142789.tif 000011
【図１０】
2005142789.tif 000012
【図１１】
2005142789.tif 000013
【図１２】
2005142789.tif 000014
【図１３】
2005142789.tif 000015
【図１４】
2005142789.tif 000016